(57)【要約】【課題】ロールワイパーを引き出し易いロールディスペンサーを提供する。【解決手段】ロールディスペンサー１は、ロールワイパーＲを収容する筒状の本体２と、本体２に長手方向Ｌに沿って形成され、ロールワイパーＲを取り出し可能なスリット３と、本体２に長手方向Ｌに沿って形成され、ロールワイパーＲを引き出す際に本体を把持可能な複数の切り欠き部５と、を備えている。【選択図】図１
2020001722.tif 000002
【特許請求の範囲】
【請求項１】
ロールワイパーを収容して、持ち運び可能なロールディスペンサーであって、
前記ロールワイパーを収容する筒状の本体と、
前記本体に前記ロールワイパーの軸方向に対応する第１の方向に沿って形成され、前記ロールワイパーを取り出し可能なスリットと、
前記本体に前記第１の方向に沿って形成され、前記ロールワイパーを引き出す際に前記本体を把持可能な複数の切り欠き部と、
を備えていることを特徴とするロールディスペンサー。
【請求項２】
前記本体に前記第１の方向の両端に設けられ、前記ロールワイパーの中空軸を軸支可能な支持片をさらに備えていることを特徴とする請求項１記載のロールディスペンサー。
【請求項３】
前記支持片を前記第１の方向に直交する第２の方向への倒れを規制する規制部をさらに備えていることを特徴とする請求項２記載のロールディスペンサー。
【請求項４】
前記本体は、断面正ｎ角形状（ｎ≧６）に形成されていることを特徴とする請求項１から３の何れか１項記載のロールディスペンサー。
【請求項５】
前記本体は、段ボールで構成されていることを特徴とする請求項１から４の何れか１項記載のロールディスペンサー。
【請求項６】
前記本体は、折り畳み可能に構成されていることを特徴とする請求項１から５の何れか１項記載のロールディスペンサー。
【発明の詳細な説明】
【技術分野】
【０００１】
本発明は、ロールワイパーが収容されるロールディスペンサーに関するものである。
【背景技術】
【０００２】
工場等では、油汚れ等を拭き取る目的でロールワイパーが使用されている。このようなロールワイパー表面への汚れの付着を防止して清浄状態で持ち運び可能なロールワイパーの収容容器が提案されている。
【０００３】
特許文献１には、ロールワイパーの切断後に、切断端部が収容箱内に引き込まれないように、取出口に切り込みを設けたものが開示されている。また、特許文献２には、スリットを通してロール状シートを引き出すことにより、シートの先端部分の巻き戻りを防止するものが開示されている。
【先行技術文献】
【特許文献】
【０００４】
【特許文献１】実開平５−３４１８０号公報
【特許文献２】特開２０１０−２３５１９１号公報
【発明の概要】
【発明が解決しようとする課題】
【０００５】
しかしながら、上述したような収容箱は、収容容器がロールワイパーの引き出しに伴って回転しないように、ユーザが、収容容器をテーブル等に押えつけながらロールワイパーを引き出さなければならず、収容容器の使い勝手が悪いという問題があった。
【０００６】
そこで、ロールワイパーを引き出し易いロールディスペンサーを提供するために解決すべき技術的課題が生じてくるのであり、本発明はこの課題を解決することを目的とする。
【課題を解決するための手段】
【０００７】
上記目的を達成するために、本発明にロールディスペンサーは、ロールワイパーを収容して、持ち運び可能なロールディスペンサーであって、前記ロールワイパーを収容する筒状の本体と、前記本体に前記ロールワイパーの軸方向に対応する第１の方向に沿って形成され、前記ロールワイパーを取り出し可能なスリットと、前記本体に前記第１の方向に沿って形成され、前記ロールワイパーを引き出す際に前記本体を把持可能な複数の切り欠き部と、を備えている。
【０００８】
この構成によれば、ユーザが切り欠き部に指を入れてロールディスペンサーを把持することにより、ロールワイパーの引き出しに伴ってロールディスペンサーが回転することが抑制されるため、ロールワイパーを簡便に引き出し、またはシートをカットすることができる。
【０００９】
また、本発明に係るロールディスペンサーは、前記本体に前記第１の方向の両端に設けられ、前記ロールワイパーの中空軸を軸支可能な支持片をさらに備えていることが好ましい。
【００１０】
この構成によれば、支持片がロールワイパーをロールディスペンサー内の所定位置に位置決めするために、ロールワイパーがロールディスペンサーに接触することなく円滑に引き出すことができる。
【００１１】
また、本発明に係るロールディスペンサーは、前記支持片を前記第１の方向に直交する第２の方向への倒れを規制する規制部をさらに備えていることが好ましい。
【００１２】
この構成によれば、規制部が支持片の姿勢を維持するため、ロールワイパーを長期に亘って円滑に引き出すことができる。
【００１３】
また、本発明に係るロールディスペンサーは、前記本体は、断面正ｎ角形状（ｎ≧６）に形成されていることが好ましい。
【００１４】
この構成によれば、ユーザがロールディスペンサーを把持し易い形状にロールディスペンサーの断面形状が形成されるため、ロールワイパーを簡便に引き出すことができる
【００１５】
また、本発明に係るロールディスペンサーは、前記本体は、段ボールで構成されていることが好ましい。
【００１６】
この構成によれば、ロールディスペンサーを省コストで製造することができる。
【００１７】
また、本発明に係るロールディスペンサーは、前記本体は、折り畳み可能に構成されていることが好ましい。
【００１８】
この構成によれば、ロールディスペンサーを折り畳んだ状態で運搬したり保管することができる。
【発明の効果】
【００１９】
本発明は、ユーザが切り欠き部に指を入れてロールディスペンサーを把持することにより、ロールワイパーの引き出しに伴ってロールディスペンサーが回転することが抑制されるため、ロールワイパーを簡便に引き出し、またはシートをカットすることができる。
【図面の簡単な説明】
【００２０】
【図１】本発明の一実施形態に係るロールディスペンサーを示す斜視図。
【図２】ロールワイパーを収容した状態のロールディスペンサーの縦断面図。
【図３】ロールディスペンサーの展開図。
【発明を実施するための形態】
【００２１】
本発明の実施形態について図面に基づいて説明する。なお、以下では、構成要素の数、数値、量、範囲等に言及する場合、特に明示した場合及び原理的に明らかに特定の数に限定される場合を除き、その特定の数に限定されるものではなく、特定の数以上でも以下でも構わない。
【００２２】
また、構成要素等の形状、位置関係に言及するときは、特に明示した場合及び原理的に明らかにそうでないと考えられる場合等を除き、実質的にその形状等に近似又は類似するもの等を含む。
【００２３】
また、図面は、特徴を分かり易くするために特徴的な部分を拡大する等して誇張する場合があり、構成要素の寸法比率等が実際と同じであるとは限らない。また、断面図では、構成要素の断面構造を分かり易くするために、一部の構成要素のハッチングを省略することがある。
【００２４】
図１は、本発明の一実施形態に係るロールディスペンサー１を模式的に示す斜視図である。図２は、ロールワイパーＲを収容した状態のロールディスペンサー１の縦断面図である。
【００２５】
ロールディスペンサー１は、所定間隔毎に設けられたミシン目を介して連続する紙や不織布等をロール状に形成したロールワイパーＲを収容するものである。
【００２６】
ロールディスペンサー１の本体２は、ロールワイパーＲよりも若干大きく形成されている。例えば、ロールワイパーＲの軸方向の寸法が３００ｍｍであり、外径寸法が１５０ｍｍである場合、本体２は、ロールワイパーＲの軸方向に沿った長手方向Ｌの寸法が３１０ｍｍであり、長手方向Ｌに直交する幅方向の寸法が１６０ｍｍに設定される。
【００２７】
本体２は、略正六角柱状に形成されている。なお、本体２の断面形状は、多角形に形成されるのが好ましい。これにより、ロールディスペンサー１がテーブル等の上で回転することを抑制することができる。さらに好ましくは、本体２の断面形状は、正ｎ角形（ｎ≧６）に形成される。これにより、後述するスリット３をユーザが把持し易い位置に設けることができる。
【００２８】
本体２の素材は、例えば、プラスチック、金属、段ボール等が好ましい。本体２を段ボールやプラスチックで構成した場合には、後述するようにロールディスペンサー１を小さく折り畳むことができる。また、本体２を段ボールで構成した場合には、ロールディスペンサー１の省コストを製造することができる。
【００２９】
本体２の周面には、スリット３が設けられている。スリット３は、本体２に収容されたロールワイパーＲを引き出すために設けられている。ロールワイパーＲをスリット３の端部にそれぞれ設けられた凹部４に引っ掛けた状態でミシン目に沿ってロールワイパーＲを切り取ることにより、隣接するロールワイパーＲの巻き戻りを抑制することができる。スリット３は、ロールワイパーＲを引き出し可能な大きさに形成され、例えば、長手方向Ｌの寸法が３００ｍｍ、幅方向の寸法が１５ｍｍに設定される。
【００３０】
また、本体２の周面には、２つの切り欠き部５が設けられている。２つの切り欠き部５は、ユーザが本体２からロールワイパーＲを引き出す際に、指を引っ掛けて把持し易い位置に設けられている。切り欠き部５は、ユーザの手が挿入可能な大きさに形成され、例えば、長手方向Ｌの寸法が１５０ｍｍ、幅方向の寸法が３０ｍｍに設定される。
【００３１】
本体２の内部には、ロールワイパーＲの中空軸を軸支する支持片６が設けられている。支持片６は、長手方向Ｌに沿って立設されており、ロールワイパーＲの両端にそれぞれ２つずつ設けられている。支持片６が、ロールワイパーＲをロールディスペンサー１の略中央に位置決めすることにより、ロールワイパーＲが本体２に接触して引き出しにくくなることを抑制できる。なお、支持片６は、片持ち状態でロールワイパーＲの端部を支持するため、支持片６を高強度の材質で形成するか、後述するように規制部１５で支持片６を補強するのが好ましい。
【００３２】
ロールディスペンサー１は、折り畳み可能に形成されている。図３は、ロールディスペンサー１の展開図である。図３中の破線部分は、折れ線を示す。本体２は、１枚のシートで構成されており、周面７と、端面８と、周面フラップ９と、端面フラップ１０と、を備えている。
【００３３】
６つの周面７及び周面フラップ９は、長手方向Ｌに直交する幅方向Ｗに沿う折れ線を介して連続して形成されている。周面７の端部に設けられた第１の差し込み片１１は、周面フラップ９の第１の差し込み部１２に差し込み可能である。第１の差し込み片１１を第１の差し込み部１２に差し込むことにより、本体２を筒状に形成することができる。
【００３４】
周面７の長手方向Ｌの両端には、折れ線を介して端面８又は端面フラップ１０が接続されている。
【００３５】
２つの端面８のうち長手方向Ｌの固定側に設けられた第２の差し込み片１３ａは、略台形に形成されており、端面フラップ１０の第２の差し込み部１４ａにいわゆるはめ殺し状態で差し込まれる。
【００３６】
一方、２つの端面８のうち長手方向Ｌの開閉側に設けられた第２の差し込み片１３ｂは、略正方形に形成されており、端面フラップ１０の第２の差し込み部１４ｂに抜き差し自在に差し込まれる。
【００３７】
これにより、ロールワイパーＲが消費された後には、第２の差し込み片１３ａを第２の差し込み部１４ａに差し込んだ状態で、第２の差し込み片１３ｂを第２の差し込み部１４ｂから抜いて開閉側の端面８を開くことにより、ロールワイパーＲを交換することができる。
【００３８】
このようにして、ロールディスペンサー１は、シート状の折り畳み状態から、接着剤等を用いることなくロールワイパーＲを収容可能な使用状態に簡便に移行することができる。
【００３９】
長手方向Ｌの固定側に設けられた５つの端面フラップ１０のうち２つ及び長手方向Ｌの開閉側に設けられた５つの端面フラップ１０のうち２つには、支持片６が設けられている。支持片６は、端面フラップ１０に対して折り返されることにより、片持ち状態でロールワイパーＲを軸支可能である。
【００４０】
長手方向Ｌの固定側に設けられた端面フラップ１０のうち少なくとも１つには、支持片６を差し込むスリット状の規制部１５が形成されている。固定側の２つの支持片６が規制部１５に差し込まれることにより、規制部１５がロールワイパーＲを支持する支持片６の姿勢を維持するため、支持片６がロールワイパーＲを長期に亘って軸支することができる。
【００４１】
このようにして、本実施形態に係るロールディスペンサー１は、ユーザがスリット３に指を入れてロールディスペンサー１を把持することにより、ロールワイパーＲの引き出しに伴ってロールディスペンサー１が回転することが抑制されるため、ロールワイパーＲを簡便に引き出すことができる。
【００４２】
また、本発明は、本発明の精神を逸脱しない限り、上記以外にも種々の改変を為すことができ、そして、本発明が該改変されたものに及ぶことは当然である。
【符号の説明】
【００４３】
１    ・・・ロールディスペンサー
２    ・・・本体
３    ・・・スリット
４    ・・・凹部
５    ・・・切り欠き部
６    ・・・支持片
７    ・・・周面
８    ・・・端面
９    ・・・周面フラップ
１０  ・・・端面フラップ
１１  ・・・第１の差し込み片
１２  ・・・第１の差し込み部
１３ａ、１３ｂ・・・第２の差し込み片
１４ａ、１４ｂ・・・第２の差し込み部
１５  ・・・規制部
Ｌ    ・・・長手方向
Ｗ    ・・・幅方向
【図１】
2020001722.tif 000003
【図２】
2020001722.tif 000004
【図３】
2020001722.tif 000005